【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
タッチセンシティブディスプレイと、
１又はそれ以上のプロセッサと、
メモリと、
前記メモリに記憶されると共に、前記１又はそれ以上のプロセッサにより実行されるように構成されたプログラムと、
を含み、前記プログラムは、
タッチセンシティブディスプレイ上のユーザによる接触ポイントの動きを決定するための命令と、
前記動きに応答して、一連のインデックス記号に対応する一連の情報項目のサブセットであって、２つ以上の情報項目を含む少なくとも１つのサブセットを含む一連の情報項目のサブセットを含む、前記タッチセンシティブディスプレイ上の情報項目リストをスクロールするための命令と、
それぞれの情報のサブセットをスクロールする間、前記それぞれの情報項目のサブセットに従って、前記タッチセンシティブディスプレイ上で動く対応するインデックス記号を各それぞれの情報項目のサブセットと共に表示するための命令と、を含み、
前記それぞれの情報項目のサブセットに従って前記タッチセンシティブディスプレイ上で前記対応するインデックス記号を動かすことは、
前記タッチセンシティブディスプレイ上の上向きのスワイプに応答して、インデックス記号をウィンドウの下端から前記ウィンドウの上端へと上向きに動かすことと、対応する項目のサブセットが２つ以上の情報項目を含む場合に、前記対応する情報項目のサブセットの終端に到達するまで、前記対応する情報項目のサブセットがスクロールするときに前記対応する情報項目のサブセットの最初に表示された項目に隣接して前記ウィンドウの上端に、前記インデックス記号の表示を維持することを含むことを特徴とするポータブル電子機器。
【請求項２】
前記インデックス項目はアルファベットのインデックス項目を含む請求項１に記載の機器。
【請求項３】
前記対応するインデックス記号は、前記それぞれの情報項目のサブセットの表示されたテキストに隣接して表示される、
ことを特徴とする請求項１に記載の機器。
【請求項４】
前記情報項目リストが、特定のインデックス記号に対応する項目を含まない場合、前記スクローリング中に前記情報項目のスクローリングリストの表示されたテキストと共に前記特定のインデックス記号を表示せずに、前記第１のインデックス記号に対応する情報のサブセットから前記第２のインデックス記号に対応する情報のサブセットまでの前記情報項目リストのスクローリングと共に、前記特定のインデックス記号に先行する第１のインデックス記号及び前記インデックス記号に後続する第２のインデックス記号を表示するための命令をさらに含む、
ことを特徴とする請求項１に記載の機器。
【請求項５】
前記情報項目リストが、それぞれのインデックス記号に対応する項目を含まない場合、それぞれのインデックス記号の表示をスキップするための命令をさらに含む、
ことを特徴とする請求項１に記載の機器。
【請求項６】
前記スクローリングは、摩擦を有する運動方程式のシミュレーションに従う、
ことを特徴とする請求項１に記載の機器。
【請求項７】
１又はそれ以上のプログラムを記憶したコンピュータ読み取り可能記録媒体であって、前記１又はそれ以上のプログラムは、タッチセンシティブディスプレイを備えたポータブル電子機器により実行される場合、該機器に、
前記タッチセンシティブディスプレイ上のユーザによる接触ポイントの動きを決定することと、
前記動きに応答して、一連のインデックス記号に対応する一連の情報項目のサブセットであって、２つ以上の情報項目を含む少なくとも１つのサブセットを含む一連の情報項目のサブセットを含む前記タッチセンシティブディスプレイ上の情報項目リストをスクロールすることと、
それぞれの情報のサブセットをスクロールする間、前記それぞれの情報項目のサブセットに従って、前記タッチセンシティブディスプレイ上で動く対応するインデックス記号を各それぞれの情報項目のサブセットと共に表示することであって、前記それぞれの情報項目のサブセットに従って前記タッチセンシティブディスプレイ上で前記対応するインデックス記号を動かすことは、前記タッチセンシティブディスプレイ上の上向きのスワイプに応答して、インデックス記号をウィンドウの下端から前記ウィンドウの上端へと上向きに動かすことと、対応する項目のサブセットが２つ以上の情報項目を含む場合に、前記対応する情報項目のサブセットの終端に到達するまで、前記対応する情報項目のサブセットがスクロールするときに前記対応する情報項目のサブセットの最初に表示された項目に隣接して前記ウィンドウの上端に、前記インデックス記号の表示を維持することを含むものであることと、
をさせる命令を含むことを特徴とするコンピュータ読み取り可能記録媒体。
【請求項８】
前記インデックス項目はアルファベットのインデックス項目を含む請求項７に記載のコンピュータ読み取り可能記録媒体。
【請求項９】
前記対応するインデックス記号は、前記それぞれの情報項目のサブセットの表示されたテキストに隣接して表示される、
ことを特徴とする請求項７に記載のコンピュータ読み取り可能記録媒体。
【請求項１０】
前記情報項目リストが、特定のインデックス記号に対応する項目を含まない場合、前記機器が、前記スクローリング中に前記情報項目のスクローリングリストの表示されたテキストと共に前記特定のインデックス記号を表示せずに、前記第１のインデックス記号に対応する情報のサブセットから前記第２のインデックス記号に対応する情報のサブセットまでの前記情報項目リストのスクローリングと共に、前記特定のインデックス記号に先行する第１のインデックス記号及び前記インデックス記号に後続する第２のインデックス記号を表示することを前記機器にさせる命令をさらに含む、
ことを特徴とする請求項７に記載のコンピュータ読み取り可能記録媒体。
【請求項１１】
前記情報項目リストが、それぞれのインデックス記号に対応する項目を含まない場合、前記機器にそれぞれのインデックス記号の表示をスキップさせるための命令をさらに含む、
ことを特徴とする請求項７に記載のコンピュータ読み取り可能記録媒体。
【請求項１２】
前記スクローリングは、摩擦を有する運動方程式のシミュレーションに従う、
ことを特徴とする請求項７に記載のコンピュータ読み取り可能記録媒体。
【請求項１３】
タッチセンシティブディスプレイ上のユーザによる接触ポイントの動きを決定するステップと、
前記動きに応答して、前記タッチセンシティブディスプレイ上の一連のインデックス記号に対応する一連の情報項目のサブセットであって、２つ以上の情報項目を含む少なくとも１つのサブセットを含む一連の情報項目のサブセットを含む情報項目リストをスクロールするステップと、
それぞれの情報のサブセットをスクロールする間、前記それぞれの情報項目のサブセットに従って、前記タッチセンシティブディスプレイ上を動く対応するインデックス記号を各それぞれの情報項目のサブセットと共に表示するステップと、を含み、
前記それぞれの情報項目のサブセットに従って前記タッチセンシティブディスプレイ上で前記対応するインデックス記号を動かすことは、
前記タッチセンシティブディスプレイ上の上向きのスワイプに応答して、インデックス記号をウィンドウの下端から前記ウィンドウの上端へと上向きに動かすことと、対応する項目のサブセットが２つ以上の情報項目を含む場合に、前記対応する情報項目のサブセットの終端に到達するまで、前記対応する情報項目のサブセットがスクロールするときに前記対応する情報項目のサブセットの最初に表示された項目に隣接して前記ウィンドウの上端に、前記インデックス記号の表示を維持することを含むことを特徴とする、方法。
【請求項１４】
前記インデックス項目はアルファベットのインデックス項目を含む請求項１３に記載の方法。
【請求項１５】
前記対応するインデックス記号は、前記それぞれの情報項目のサブセットの表示されたテキストに隣接して表示される、
ことを特徴とする請求項１３に記載の方法。
【請求項１６】
前記情報項目リストが、特定のインデックス記号に対応する項目を含まない場合、前記表示ステップは、前記スクローリング中に前記情報項目のスクローリングリストの表示されたテキストと共に前記特定のインデックス記号を表示せずに、前記第１のインデックス記号に対応する情報のサブセットから前記第２のインデックス記号に対応する情報のサブセットまでの前記情報項目リストのスクローリングと共に、前記特定のインデックス記号に先行する第１のインデックス記号及び前記インデックス記号に後続する第２のインデックス記号を表示するステップをさらに含む、
ことを特徴とする請求項１３に記載の方法。
【請求項１７】
前記情報項目リストが、それぞれのインデックス記号に対応する項目を含まない場合、それぞれのインデックス記号の表示をスキップするステップをさらに含む、
ことを特徴とする請求項１３に記載の方法。
【請求項１８】
前記スクローリングは、摩擦を有する運動方程式のシミュレーションに従う、
ことを特徴とする請求項１３に記載の方法。